(57)【特許請求の範囲】
【請求項１】
装置本体と、この装置本体に設けられ記録紙を上下方向に沿って搬送する搬送路を挟んで一側に少なくとも水平な感光体、この感光体を帯電するコロナ放電式帯電器および感光体にトナー像を形成する現像器を配置するとともに、他側に少なくとも感光体のトナー像を記録紙に転写する転写器を配置してなるプロセスユニットと、前記搬送路の一側から前記感光体に光線を照射して露光する露光器と、前記装置本体に設けられ前記感光体の中心軸線より下側において前記搬送路を挟んで一側と他側に夫々前記感光体の軸方向に沿って形成された吸込み口を有する吸込み部およびこの吸込み口に接続され前記吸込み口で吸込んだ気体を前記装置本体の外部へ導く通路部を備えた排気通路体と、この排気通路体の吸込み部から通路部へ向う気流を形成する排気ファンと、この排気ファンにより形成された気流を通過させるフィルタとを具備することを特徴とする画像形成装置。
【請求項２】
前記排気通路体の通路部は、前記搬送路に対して一側に位置して前記吸込み部に接続されていることを特徴とする請求項１に記載の画像形成装置。
【請求項３】
前記プロセスユニットは前記露光器から照射される光線を前記感光体に入射させる露光窓を備え、前記排気通路体における吸込み部の吸込み口が前記露光窓の光線入口に面していることを特徴とする請求項１に記載の画像形成装置。
【発明の詳細な説明】
【０００１】
【発明の属する技術分野】
本発明は記録紙を上下方向に沿って搬送させて電子写真法によって画像記録を行なう画像形成装置に関する。
【０００２】
【従来の技術】
この種の画像形成装置は、ファクシミリ装置、複写機あるいはプリンタなどに用いられるもので、図５および図６に示す構成をなしている。図５は従来の画像形成装置の概略的構成を示す正面から見た断面図、図６は上側から見た断面図である。装置本体１の内部に上下方向（垂直）に沿い記録紙Ｐを下側から上側へ搬送する搬送路Ｒを設定し、且つこの搬送路Ｒの一側に感光体ドラム２、除電器３、感光体ドラム２の表面を帯電する帯電器４および感光体ドラム２の表面にトナー像を形成する現像器５を設けるとともに、他側に感光体ドラム２の表面に形成されたトナーを記録紙を感光体ドラムに吸着して転写する転写器６および転写器６により感光体ドラム２に吸着された記録紙を分離する分離器７を設けてプロセスユニットＵを構成している。また、搬送路Ｒの一側には感光体ドラム２を露光する露光器８を設けている。プロセスユニットＵの上側には定着器９を設け、装置本体１の下側には記録紙カセットＣを設ける。
【０００３】
そして、記録紙カセットＣから繰出した記録紙Ｐを下側から上側へ向けて上下方向に沿って搬送しプロセスユニットＵおよび定着器９を通過する過程で画像を記録して装置本体１の上部から排出する。
【０００４】
この画像形成装置において、プロセスユニットＵに設けた帯電器４にはワイヤＹに高電圧を印加してコロナ放電を発生させて帯電を行なうコロナ放電式のものが多く用いられており、転写器６および分離器７も同様にワイヤＹに高電圧を印加してコロナ放電を発生させて夫々の動作行なうコロナ放電式のものが多く用いられている。ところが、これらコロナ放電式の各機器４，６および７では、コロナ放電に伴い大気中の酸素分子をイオン化してオゾンを発生させるという問題点がある。このオゾンはプロセスユニットＵにおける感光体ドラム２などの部品を汚染して機能を劣化させるとともに、画像形成装置を使用する使用者の身体に対しても悪影響を与える。
【０００５】
このため、従来からプロセスユニットＵに発生したオゾンを処理するために、装置本体の内部の空気を排気ファンによってオゾンフィルタにより処理して外部へ排出する方式が採用されている。すなわち、図６に示すように装置本体１における図示下面が使用者が前に立つ前面壁し、上面が前面壁とは反対側の後面壁とすると、使用者に対して排気による不快感を与えないようにするために、排気ファン５１とオゾンフィルタ５２を装置本体１の後面壁においてプロセスユニットＵに対向した位置に設けている。これはオゾン発生元であるプロセスユニットＵに最も近い位置で排気を行ないオゾンを効率良く取り除こうという考え方によるものである。
【０００６】
そして、排気ファン５１を回転して装置本体１の内部に空気を吸引して送り出し、送り出される空気をオゾンフィルタ５２に通して空気に含まれるオゾンを吸着した後に装置本体１の外部ヘ排出している。
【０００７】
【発明が解決しようとする課題】
しかし、このようにして装置本体１内部の空気を処理する構成では次に述べる問題がある。帯電器４、転写器５および分離器６に設けられる放電用ワイヤＹは感光体ドラム２の軸線方向長さとほぼ同じ長さを有し、長さ方向全体にわたり均等にオゾンが発生する。排気ファン５１は装置本体１の後面壁におけるプロセスユニットＵに対向して設けているために、プロセスユニットＵ（感光体ドラム）の軸線方向の一端に対向した位置に設けられることになる。すなわち、排気ファン５１はワイヤの一端に対向した位置に設けられることになる。このため、排気ファン５１はワイヤＹの軸線方向全体から発生したオゾンのうち自身の近傍であるワイヤＹの一端部に発生したオゾンは充分に吸引してオゾンフィルタ５２で回収することができるが゛、一端部から離れたワイヤＹの他の部分で発生したオゾンは充分吸引して回収することができず、なかでも特に排気ファン５１とは反対側のワイヤＹの他端部で発生したオゾンの回収が困難となり、この結果プロセスユニットＵの部品を汚損したり、空気に含まれてそのまま装置本体１における隙間から装置本体１の外部ヘ漏れ出て使用者の身体に悪影響を与えることになる。特にＡ３サイズの記録紙に対応した画像形成装置ではワイヤの長さが長くなり、且つ高速化を図るためにワイヤに流す電流値が増大するために、発生するオゾン量が増大してし装置本体外部へ漏れ出るオゾン量も増大する。
【０００８】
本発明は、プロセスユニットで発生するオゾンの全体を効果的に回収して、オゾンによる悪影響を回避できる熱定着装置を提供することを目的とする。
【０００９】
【課題を解決するための手段】
請求項１の発明の画像形成装置は、装置本体と、この装置本体に設けられ記録紙を上下方向に沿って搬送する搬送路を挟んで一側に少なくとも水平な感光体、この感光体を帯電するコロナ放電式帯電器および感光体にトナー像を形成する現像器を配置するとともに、他側に少なくとも感光体のトナー像を記録紙に転写する転写器を配置してなるプロセスユニットと、前記搬送路の一側から前記感光体に光線を照射して露光する露光器と、前記装置本体に設けられ前記感光体の中心軸線より下側において前記搬送路を挟んで一側と他側に夫々前記感光体の軸線方向荷に沿って形成された吸込み口を有する吸込み部およびこの吸込み口に接続され前記吸込み口で吸込んだ気体を前記装置本体の外部へ導く通路部を備えた排気通路体と、この排気通路体の吸込み部から通路部へ向う気流を形成する排気ファンと、この排気ファンにより形成された気流を通過させるフィルタとを具備することを特徴とする。
【００１０】
この発明の構成によれば、上下方向に沿う搬送路を挟む両側に配置したプロセスユニットを構成する帯電器を含む機器の作用により発生するオゾンを感光体の軸線方向に全体にわたり充分回収することができ、且つ空気より重く下に流れるオゾンの自然な流れを利用して感光体中心より下側に位置する吸込み体が効果的に吸引して回収できる。
【００１１】
請求項２の発明は、請求項１に記載の画像形成装置において、前記排気通路体の通路部は、前記搬送路に対して一側に位置して前記吸込み部に接続されていることを特徴とする。
【００１２】
この発明の構成によれば、帯電器の作用により多くのオゾンを発生する搬送路の一側から排気ファンの吸引力を作用して効果的にオゾンを吸引して回収することができる。
【００１３】
請求項３の発明は、請求項１に記載の画像形成装置において、前記プロセスユニットは前記露光器から照射される光線を前記感光体に入射させる露光窓を備え、前記排気通路体における吸込み部の吸込み口が前記露光窓の光線入口に面していることを特徴とする。
【００１４】
この発明の構成によれば、プロセスユニットに設けられる既存の露光窓を利用して、搬送路の一側で多く発生するオゾンを効果的に吸引して回収することができる。
【００１５】
【発明の実施の形態】
本発明の一実施の形態について図面を参照して説明する。
図１ないし図４は本発明における画像形成装置の実施の形態を示すもので、図１は概略的構成を示す断面図、図２は排気通路体の概略的構成を示す平面図、図３はプロセスユニットを拡大して示す断面図、図４は排気通路体を示す斜視図である。
【００１６】
図中１１は装置本体で、この装置本体１１の下部には記録紙Ｐを積層したカセットＣを収容するカセット収容部１２が設けられ、上面部には排紙口１３およびこの排紙口１３から排出される記録紙Ｐを受ける排紙トレイ１４が設けられている。カセット収容部１２には、カセットＣから記録紙Ｐを繰出す繰出しローラ１５および繰出した記録紙Ｐを上側ヘ向けて搬送する搬送ローラ１６が設けられ、装置本体１１の上面部における排紙口１３に面した箇所には画像記録を終えた記録紙Ｐを排出する排出ローラ１７が設けられている。そして、装置本体１の内部における一側部には、装置本体下部におけるカセットＣから記録紙Ｐを繰出して装置本体上面おける排出口１３まで上側へ向けて搬送させる上下方向に沿う搬送路Ｒが設定される。
【００１７】
装置本体１１の内部には、プロセスユニット２１、露光器２２および定着器２３と、排気通路体２４、排気ファン２５およびオゾンフィルタ２６が設けられている。
【００１８】
プロセスユニット２１は上下方向に沿う搬送路Ｒを挟んで設けられる。搬送路Ｒを挟んで一側には、搬送される記録紙Pの紙面と平行に配置された感光体ドラム３１が配置され、この感光体ドラム３１の周囲にその回転方向上流側から、画像記録後に感光体ドラム３１の表面に残存するトナーを取り除くクリーニング器３２、感光体ドラム３１の表面に残存するで電荷を取り除く除電器３３、感光体ドラム３１の表面を帯電するコロナ放電式の帯電器３４、感光体ドラム３１表面に静電潜像に基づいてトナー像を形成する現像器３５が配設されている。クリーニング器３２はトナーを溜めるケース３２ａと感光体ドラム３１の表面に摺接するブレード３２ｂを有している。帯電器３４は感光体ドラム３１の軸方向長さに相当する長さを有して感光体ドラム３１と平行に配置される放電ワイヤ３４ａを有している。現像器３５はトナーを溜めるケース３５ａと、トナーを感光体ドラム３１の表面に運ぶ現像ローラ３５ｂを有している。
【００１９】
搬送路Ｒを挟んで他側には、感光体ドラム３１に対向して位置し記録紙Ｐを感光体ドラム３１に接触させて感光体ドラム３１のトナー像を記録紙Ｐに転写するコロナ放電式の転写器３６と、感光体ドラム３１の表面に接触した記録紙Ｐを感光体ドラム３１から剥離するコロン放電式の分離器３７が配設されている。転写器３６および分離器３７は、夫々感光体ドラム３１の軸方向長さに相当する長さを有して感光体ドラム３１と平行に配置される放電ワイヤ３６ａ、３７ａを有している。
【００２０】
露光器２２は、プロセスユニット２１に対して一側に設けられ、感光体ドラム３１の表面にレーザ光を照射して静電潜像を形成するものである。プロセスユニット２１では、露光器２２に面してレーザ光を感光体ドラム３１へ入射させる露光窓３８が設けてある。すなわち、露光窓３８は、搬送路に対して一側に設けたクリーニング器３２のケース３２ａの下部に付設したカバー３２ｃと、現像器３５のケース３５ａの上面部３５ｃと上側と下側の案内面を形成して、感光体ドラム３１の軸方向に沿って形成されている。露光窓３８は、プロセスユニット２１の外部に位置する露光器２２に面した光線入口３８ａと、プロセスユニット２１の内部に位置する感光体ドラム３１に面した光線出口３８ｂを有している。これにより露光器２２から発したレーザ光は、光線入口３８ａから露光窓３８の内部を通過して光線出口３８ｂから感光体ドラム３１の表面を照射している。
【００２１】
定着器２３は、感光体ドラム３１と排出ローラ１７との間に設けられ、記録紙Ｐを通過させてトナー像を記録紙Ｐに定着するものである。
【００２２】
排気通路体２４は、感光体ドラム３１の下側で搬送路Ｒの両側から装置本体１内部の空気を吸引する吸込み部４１と、この吸込み部４１で吸込んだ空気を搬送路Ｒの一側から導いて装置本体１の外部ヘ排出する通路部４２を有し、両者は一体に形成されている。
【００２３】
吸込み部４１は、プロセスユニット２１の下部である現像器３５および感光体ドラム３１の下半分を嵌合できる幅および深さを有する上面開放の溝部４１ａが感光体ドラ２１の長さに相当する長さもって形成された樋形のケースなしている。吸込み部４１は、プロセスユニット２１の下側に感光体ドラム軸方向に沿って配置され、溝部４１ａに現像器３５および感光体ドラム３１の下部を上側から嵌合されている。すなわち、溝部４１ａの一側壁部４１ｂは搬送路Ｒの一側に位置し、他側壁部４２ｃは搬送路Ｒの他側に位置しており、これら各側壁部４１ｂ、４１ｃの上端は感光体ドラム３１の中心軸線と同じ高さ、またはそれより下側に位置している。溝部４１ａの底部の他側部は、記録紙Ｐを搬送通過させるため上下に貫通する長孔４１ｅが感光体ドラム軸方向に沿って形成されて搬送路Ｒの一部を構成している。
【００２４】
溝部４１ａの一側壁部４１ｂにおける上端には溝部に面した角稜部分には感光体ドラム軸方向に延びるスリット形をなす複数の吸込み孔４１ｄが感光体ドラム軸方向に並べて形成されており、溝部４１ａの他側壁部４１ｃにおける上端には溝部に面した角稜部分には感光体ドラム軸方向に延びるスリット形をなす複数の吸込み孔４１ｅが感光体ドラム軸方向に並べて形成されている。これら各吸込み孔４１ｄ、４１ｅは吸込み部４１の外部と内部空間とを連通しており、吸込み孔４１ｄはプロセスユニット２１において搬送路Ｒに対して一側近傍の空気を吸引し、吸込み孔４１ｅはプロセスユニット２１において搬送路Ｒに対して他側近傍の空気を吸引する。また、感光体ドラム３１の中心軸線より下側にある各側壁部４１ｂ、４１ｃに形成した吸込み孔４１ｄ、４１ｅは感光体ドラム３１の中心軸線より下側に位置している
ここで、一側壁部４１ｂにおける上端の溝部に面した角稜部分は、プロセスユニット２１に設けた露光窓３８における光線入口３８ａに面しており、一側壁部４１ｂにおける上端の溝部に面した角稜部分に形成した吸込み孔４１ｄは露光窓３８における光線入口３８ａに面することになる
通路部４２は吸込み部４１に対して搬送路Ｒの一側において感光体ドラム軸方向に対して直交する方向に沿って配置され、一方の端部が吸込み体４１における一側壁部４１ｂに接続されて吸込み体４１と連通している。吸込み体４１における一側壁部４１ｂに接続する通路部４２の端部は一側壁部４１ｂの長さ方向全体にわたって接続する。通路部４２の他方の端部は装置本体１１の一側壁１１ａに組合されて排気口４３となっている。これにより通路部４２を流れる気流を装置本体１１の外部ヘ排出することができる。
【００２５】
排気ファン２５は通路部４２における排気口側端部に設けられており、これは排気通路体２４の吸込み部４１から通路部４２へ向う気流を形成して装置本体１１の外部へ排出するものである。また、オゾンフィルタ２６は通路部４２における排気口側端部において排気ファン２５に対して下流側に設けられ、排気ファン２５により形成された気流を通過させて気流に含まれるオゾンを吸着するものである。
【００２６】
このように構成した画像形成装置について説明する。
プロセスユニット２１により記録紙Ｐを搬送しながら画像を記録する際に、帯電器３４が放電ワイヤ３４ａによりコロナ放電を行い感光体ドラム３１を帯電する作用を行なうと帯電器３４において空気中にオゾン発生する。また、転写器３６が放電ワイヤ３６ａによりコロナ放電を行い感光体ドラム３１にトナー像を記録紙Ｐに転写する作用を行なうと転写器３６において空気中にオゾン発生する。分離器３７が放電ワイヤ３７ａによりコロナ放電を行い感光体ドラム３１付着している記録紙Ｐを分離する作用を行なうと転写器３６において空気中にオゾン発生する。
【００２７】
一方、排気ファン２５を回転駆動すると、排気通路体２４では吸込み部４１から通路部４２へかけて流れ、さらに排気口４３から排出される気流が形成される。このため、装置本体１１内部における空気は、吸込み部４１における各側壁部４１ｂ、４１ｃに形成した吸込み孔４１ｄ、４１ｅを介して吸込み部４１の内部に吸込まれる。搬送路Ｒの一側に設けられるプロセスユニット２１の構成要素が周辺における空気は、一側壁部４１ｂに形成した吸込み孔４１ｄを通して吸込み部４１の内部に吸込まれる。搬送路Ｒの一側に設けられる帯電器３４が放電ワイヤ３４ａを用いたコロナ放電を行なう時に生じたオゾンも空気と一緒に吸込み孔４１ｄを通して吸込み部４１の内部に吸込まれる。ここで、吸込み孔４１ｄは一側壁部４１ｂにおいて感光体ドラム軸方向全体、すなわち帯電器３４の放電ワイヤ３４ａの全長に沿って設けられるので、放電ワイヤ３４ａの全長において発生したオゾンの全体を均等に且つ充分に一側壁部４１ｂの内部に吸込むことができる。
【００２８】
また、プロセスユニット２１において搬送路Ｒの一側に設けた露光窓３８は、感光体ドラム軸方向全体に沿って３１のプロセスユニット２１の内部（感光体ドラム３１および帯電器３４が設けられている。）とプロセスユニット２１の外部とを連通している。このため、帯電器３４の放電ワイヤ３４ａ全長で発生したオゾンは光線出口３８ｂから露光窓３８内部を通り光線入口３８ａからプロセスユニット２１の外部に移動する。ここで、露光窓３８内部を通り光線入口３８ａと一側壁部４１ｂの各吸込み口４２ｄとが対応しているために、露光窓３８内部を通り光線入口３８ａから出たオゾンはそのまま直接直ちに吸込み孔４１ｄを通って一側壁部４１ｂに吸込まれる。すなわち、露光窓３８は帯電器３４で発生したオゾン全体を一側壁部４１ｂの吸込み孔４２ｄに案内して無駄なく効果的に吸込ませる案内通路として利用される。
【００２９】
搬送路Ｒの他側に設けられるプロセスユニット２１の構成要素が周辺における空気は、他側壁部４１ｃに形成した吸込み孔４１ｅを通して吸込み部４１の他側壁部４１ｃ内部に吸込まれる。搬送路Ｒの他側に設けられる転写器３６が放電ワイヤ３６ａを用いたコロナ放電を行なう時、および分離器３７が放電ワイヤ３７ａを用いたコロナ放電を行なう時に生じたオゾンも空気と一緒に吸込み孔４１ｅを通して吸込み部４１の内部に吸込まれる。ここで、吸込み孔４１ｅは他側壁部４１ｃにおいて感光体ドラム軸方向全体、すなわち転写器３６の放電ワイヤ３６ａおよび分離器３７の放電ワイヤ３７ａの全長に沿って設けられるので、放電ワイヤ３６ａ、３７ａの全長において発生したオゾンの全体を均等に且つ充分に他側壁部４１ｂの内部に吸込むことができる。
【００３０】
記録紙Ｐを上側へ向けて移動させて画像記録を行なうので、画像記録位置の関係から帯電器３４、転写器３６および分離器３７が感光体ドラム３１の上半分部に対応して設けられる。これら各機器の放電ワイヤにより発生ししたオゾンは空気より重いために感光体ドラム３１の下半分部に向けて下降移動する。吸込みたい４１の各側壁部４１ｂ、４１ｃに形成した吸込み孔４１ｄ、４１ｅは、感光体ドラム３１の中心軸線より下側に位置して上側から下降して来るオゾンを吸込む。すなわち、空気より重く下に流れるオゾンの自然な流れを利用して感光体中心より下側に位置する吸込み体が効果的に吸引して回収できる。
【００３１】
そして、各側壁部４１ｂ、４１ｃから吸込み部４１内部に吸込まれた空気およびオゾンは一側壁部４１ｂに接続する通路部４２の他方の端部に集められ、他方の端部から一方の端部である排気口４３へ向けて流れる。
【００３２】
また、排気通路体２１の吸込み部４１は、搬送路Ｒに対して一側に位置する通路部４２に接続されているので、帯電器３４の作用により多くのオゾンを発生する搬送路Ｒの一側から排気ファン２５の吸引力を作用して効果的にオゾンを吸引して回収することができる。ここで、搬送路Ｒの一側に位置する帯電器３４は感光体ドラム３１を帯電するために、転写器３６および分離器３７に比較してコロナ放電の量が多く、これに伴って発生するオゾンの量も多い。このため、吸込み部４１では吸込み孔４１ｄを介して一側壁部４１ｂが吸込むオゾン量は吸込み孔４１ｅを介して一側壁部４１ｃが吸込むオゾン量に比較して多くなる。そこで、通路部４２がオゾン量が多く吸込まれる一側壁部４１ｃから吸引することにより、吸込み部４１内部のオゾンを強力に通路部４２ヘ流すことができる。すなわち、帯電器３４の作用により多くのオゾンを発生する搬送路の一側から排気ファン２５の吸引力を作用して効果的にオゾンを吸引して回収することができる
さらに、吸込み部４２を流れる空気およびオゾンは、吸込み部４２の排気口４３に設けた排気ファン２５に吸引されてオゾンフィルタ２６を通過する。ここで、オゾンばオゾンフィルタ２６に吸着されて回収され、空気のみが装置本体１１の外部ヘ送り出される。
【００３３】
このようにして上下方向に沿う搬送路Ｒを挟む両側に配置したプロセスユニット２１を構成する帯電器を含む機器の作用により発生するオゾンを効果的に充分回収することができる。
【００３４】
なお、本発明は前述した実施の形態に限定されず、種々変形して実施することができる。例えば、吸込み孔は排気通路体において搬送路を挟んで一側と他側に夫々前記感光体の軸方向に沿って形成するだけでなく、オゾンを回収できるように排気通路体のいずれの箇所にも形成することができる。また、プロセスユニットの転写器および分離機器はコロナ放電式のものに限定されない。
【００３５】
【発明の効果】
請求項１の発明の画像形成装置によれば、上下方向に沿う搬送路を挟む両側に配置したプロセスユニットを構成する帯電器を含む機器の作用により発生するオゾンを感光体の軸線方向に全体にわたり充分回収することができ、且つ空気より重く下に流れるオゾンの自然な流れを利用して感光体中心より下側に位置する吸込み体が効果的に吸引して回収できる。
【００３６】
請求項２の発明によれば、帯電器の作用により多くのオゾンを発生する搬送路の一側から排気ファンの吸引力を作用して効果的にオゾンを吸引して回収することができる。
【００３７】
請求項３の発明によれば、プロセスユニットに設けられる既存の露光窓を利用して、搬送路の一側で多く発生するオゾンを効果的に吸引して回収することができる。
【図面の簡単な説明】
【図１】本発明の一実施の形態における画像形成装置の概略的構成を示す断面図。
【図２】同実施の形態の装置に設ける排気通路体の概略的構成を示す平面図。
【図３】同実施の形態の装置におけるプロセスユニット部を拡大して示す断面図。
【図４】同実施の形態の装置に設ける排気通路体を示す図。
【図５】従来の一形態における画像形成装置の概略的構成を示す断面図。
【図６】同従来の形態における画像形成装置の概略的構成を示す断面図。
【符号の説明】
１１…装置本体、
２１…プロセスユニット、
２２…露光器、
２４…排気通路体、
２５…排気ファン、
１６…オゾンフィルタ、
３１…感光体ドラム、
３４…帯電器、、
３６…転写器、
３５…現像器、
３６…転写器、
３７…分離器、
３８…露光窓、
４１…吸込み部、
４１ａ…溝部、
４１ｂ…一側壁部、
４１ｃ…他側壁部、
４１ｄ…吸込み孔、
４１ｅ…吸込み孔、
４１ｆ…連通孔、
４２…通路部、
４３…排気口、
Ｒ…搬送路。
【図１】
0003872931.tif 000002
【図２】
0003872931.tif 000003
【図３】
0003872931.tif 000004
【図４】
0003872931.tif 000005
【図５】
0003872931.tif 000006
【図６】
0003872931.tif 000007